(57)【要約】【課題】  煙や埃のうち少なくとも一方を検出する空気質検出手段を空気清浄機に設けることにより、火災発生時の煙を検出して火災発生を警報する火災警報機能を持たせるとともに、換気機能により煙を排出できる空気清浄化システムを提供する。【解決手段】建物内及び建物外の空気を吸い込み清浄化した後に所定の室内に吹き出す空気清浄手段と、空気清浄手段とは別の空調手段と、空気清浄手段に設けられ煙や埃のうち少なくとも一方を検出する埃センサＳと、埃センサＳの検出結果に基づいて、火災が起きていると判断したとき、空調手段を作動させるもしくは、空調手段の風量を増大させる制御回路２９とを備えた。【選択図】        図３
2006084148.tif 000002
【特許請求の範囲】
【請求項１】
空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出結果に基づいて、火災が起きていると判断したとき、前記空調手段を作動させるもしくは、該空調手段の風量を増大させる制御部とを備えたことを特徴とする空気清浄化システム。
【請求項２】
空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出値が所定値以下のときは、空気清浄モードとして前記空気清浄手段及び前記空調手段の運転を通常に制御し、前記空気質検出手段の検出値が所定値を超えたときは、火災が起きていると判断して、その旨を報知する制御部とを備えたことを特徴とする空気清浄化システム。
【請求項３】
空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出値が所定値以下のときは、空気清浄モードとして前記空気清浄手段の運転を通常に制御し、前記空気質検出手段の検出値が所定値を超えたときは、火災が起きていると判断して、その旨を報知するとともに、前記空調手段の作動させるもしくは、該空調手段の風量を増大させる制御部とを備えたことを特徴とする空気清浄化システム。
【請求項４】
前記制御部は、火災が起きていると判断したとき、前記空気清浄手段を作動させるもしくは、該空気清浄手段の風量を増大させることを特徴とする請求項１乃至３のいずれか一項に記載の空気清浄化システム。
【請求項５】
前記空調手段は換気手段であり、前記空気清浄手段と同一筐体内に収容されていることを特徴とする請求項１乃至４のいずれか一項に記載の空気清浄化システム。
【請求項６】
前記空気清浄手段と前記空調手段とは通信手段で接続されていることを特徴とする請求項１乃至５のいずれか一項に記載の空気清浄化システム。
【発明の詳細な説明】
【技術分野】
【０００１】
本発明は、換気機能を有する空気清浄化システムに関する。
【背景技術】
【０００２】
従来から空気清浄化システムとして、装置内部に、複数の放電線、これら放電線に対向配置された複数の対向電極、及びフィルタを有する空気清浄機が提案されている（例えば、特許文献１参照）。
【０００３】
上記空気清浄機においては、装置内部に吸い込んだ室内空気を前記放電線と対向電極とでイオン化するとともに、前記フィルタで塵埃等を除去して浄化した後、再び室内に戻すようにしている。
【０００４】
また、従来から煙や埃を検知して火災の発生を周囲に知らせる火災警報機が知られている。
【特許文献１】特許２５１２１２１号公報
【発明の開示】
【発明が解決しようとする課題】
【０００５】
ところで、従来では空気清浄機と火災警報機とは各々別個に提供されており、建物の室内に設置する場合は、それぞれの設置スペースが必要であり、また取付費用がかかるという問題があった。また、火災警報機は火災を警報するのみで、火災への対応はできなかった。
【０００６】
本発明の課題は、煙や埃のうち少なくとも一方を検出する空気質検出手段を空気清浄機に設け、空気質検出手段の検出レベルから、火災発生を判断して火災発生を警報する火災警報機能を持たせるとともに、換気機能により煙を排出できる空気清浄化システムを提供することにある。
【課題を解決するための手段】
【０００７】
上記課題を解決するために、請求項１に記載の発明は、  空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出結果に基づいて、火災が起きていると判断したとき、前記空調手段を作動させるもしくは、該空調手段の風量を増大させる制御部とを備えたことを特徴としている。
【０００８】
上記構成によれば、制御部は火災が起きていると判断したとき、空調手段を作動させるもしくは、該空調手段の風量を増大させるので、火災発生時に煙を外部へ迅速に排出することができる。
【０００９】
請求項２に記載の発明は、空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出値が所定値以下のときは、空気清浄モードとして前記空気清浄手段及び前記空調手段の運転を通常に制御し、前記空気質検出手段の検出値が所定値を超えたときは、火災が起きていると判断して、その旨を報知する制御部とを備えたことを特徴としている。
【００１０】
上記構成によれば、空気清浄手段に空気質検出手段が設けられているので、火災警報機を設置するためのスペースが不要となり、また火災警報機を取り付けるための費用が新たにかかることもない。また、空気質検出手段の検出値が所定値を超えたときには火災が起きていると判断され、その旨が報知されるため、火災に対する迅速な対応が可能となる。
【００１１】
請求項３に記載の発明は、空気を吸い込み清浄化した後に所定の室内に吹き出す空気清浄手段と、該空気清浄手段とは別の空調手段と、前記空気清浄手段に設けられ煙や埃のうち少なくとも一方を検出する空気質検出手段と、前記空気質検出手段の検出値が所定値以下のときは、空気清浄モードとして前記空気清浄手段の運転を通常に制御し、前記空気質検出手段の検出値が所定値を超えたときは、火災が起きていると判断して、その旨を報知するとともに、前記空調手段の作動させるもしくは、該空調手段の風量を増大させる制御部とを備えたことを特徴としている。
【００１２】
上記構成によれば、火災発生の報知と同時に排煙を迅速に行うことができる。
請求項４に記載の発明は、請求項１乃至３のいずれか一項において、前記制御部は、火災が起きていると判断したとき、前記空気清浄手段を作動させるもしくは、該空気清浄手段の風量を増大させることを特徴としている。
【００１３】
上記構成によれば、空気清浄手段を作動させるもしくは、該空気清浄手段の風量を増大させることにより、空調手段と協働して排煙を効果的に行うことができる。
【００１４】
請求項５に記載の発明は、請求項１乃至４のいずれか一項において、前記空調手段は換気手段であり、前記空気清浄手段と同一筐体内に収容されていることを特徴としている。
【００１５】
上記構成によれば、空気清浄手段に空調手段が収容されているので、空調手段による排煙を効率よく行うことができる。
【００１６】
請求項６に記載の発明は、請求項１乃至５のいずれか一項において、前記空気清浄手段と前記空調手段とは通信手段で接続されていることを特徴としている。
【００１７】
上記構成によれば、空気清浄手段と空調手段の作動を通信手段を介して容易に制御することができる。
【００１８】
尚、上記各請求項において、上記制御部による制御は、ファンを回転させるモータのタップ切換等による風の強弱の変更をも含み、風量を変更可能にすることは全て制御に該当することを意味する。
【発明の効果】
【００１９】
本発明によれば、空気清浄手段に空気質検出手段が設けられているので、火災警報機を設置するためのスペースが不要となり、また火災警報機を取り付けるための費用が新たにかかることもない。
【００２０】
また、空気質検出手段の検出結果に基づいて空気清浄手段及び空調手段の作動が制御されるので、火災発生時の煙を外部へ迅速に排出することができる。
【発明を実施するための最良の形態】
【００２１】
以下、本発明の実施例を図面に従って説明する。
【実施例】
【００２２】
図１は本発明の空気清浄化システムに空気清浄手段として設置される空気清浄機１を示しており、この空気清浄機１は換気機能を備えている。図１に示す空気清浄機１は、建物の天井（例えば、戸建てやマンション住宅の場合の廊下、階段或いは居間、寝室等の部屋の天井）に設置されている。
【００２３】
空気清浄機１の筐体２の内部には、空気清浄機１を設置した部屋以外の場所（例えば、建物外部）から清浄な外気を直接若しくは他の部屋を経由して取り入れる外気給気風路３と、外気給気風路３に清浄な空気を導入して目的とする部屋等に給気する動力源となる給気ファン機構４と、空気清浄機１を設置した部屋（若しくは他の部屋や通路でも良い）の室内空気を設置箇所以外の場所に排出する排気風路５及び排気風路５の排気ファン機構６とが設けられている。
【００２４】
外気給気風路３の給気ファン機構４の上流側には、設置箇所の部屋の室内空気を導入する循環吸込口７が設けられている。外気供給風路３と給気ファン機構４とが給気手段を構成し、排気風路５と排気ファン機構６とが排気手段を構成する。この空気清浄機１の外気給気風路３には、防塵フィルタ８と分解処理ユニット９（分解処理手段）とを有する空気清浄ユニット１０が設けられている。
【００２５】
空気清浄機１の筐体２は矩形の平面形状を有する箱体の形態を有し、該箱体の下部は底板部２３によって閉鎖される。空気清浄機１は、室内の吊り天井Ｔの開口部Ｔ１の内部に据え付けられる。空気清浄機１の筐体２の外周部に取付部２４が取り付けられて固定されており、この取付部２４を吊り天井Ｔの上方にある天井壁（図示省略）にアンカーボルト等で固定することによって、空気清浄機１が固定される。
【００２６】
筐体２の内部には、フィルタ収納室１１と、給気導入室１２と、給気室１３と、排気導入室１４と、排気案内通路１５とが設けられている。
【００２７】
底板部２３には、図２に示すように、室内の空気を筐体２の内部に吸い込んで循環させるための循環吸込口７と、室内の空気を筐体２の内部に吸い込んで建物外部に排出するための排気開口部２５と、筐体２の内部に吸い込んで濾過した空気を室内に給気するための給気開口部２６とが形成されている。
【００２８】
筐体２の内部には、外気給気風路３と排気風路５とがそれぞれ区画されて形成されている。
【００２９】
外気給気風路３は、筐体２の側壁部２Ｌに形成された外気導入開口部３０（給気用吸込口）と、底板部２３の循環吸込口７（循環用吸込口）と、フィルタ収納室１１と、防塵フィルタ８と、仕切壁２１の開口部２２と、給気導入室１２と、給気室１３と、底板部２３の給気開口部２６とで構成されている。フィルタ収納室１１と、給気導入室１２と、給気室１３と、防塵フィルタ８とは、全て空気が通過できるように常時連通している。
【００３０】
フィルタ収納室１１の側壁部２Ｌに形成された外気を取り入れるための外気導入開口部３０の外側には、ダクトジョイント３１が取り付けられており、このダクトジョイント３１にダクト３２の一端部が取り付けられている。ダクト３２の他端部は、本実施例では、一戸建て或いはマンション等の建物の外壁に開口する図示しない開口部のダクトジョイントに接続され、これによりダクト３２を経て建物の外気が建物内部に導入される。尚、ダクト３２の他端部を新鮮な外気が導入される他の部屋の天井や壁などの開口部に接続し、一旦他の部屋などに外気を取り入れた後に、当該他の部屋から新鮮な外気を導入することができる。
【００３１】
外気導入開口部３０にはダンパＤ１が設けられており、ダンパＤ１は、図示しないモータ及びカム機構などの動力伝達機構や風力により、外気導入開口部３０を開閉する。このダンパＤ１の開閉制御は、図示の例では筐体２の頂部に配置された制御回路２９からの制御命令により行われる。室内の循環空気の浄化のみを行う場合には、ダンパＤ１が外気導入開口部３０を閉鎖し、外気の導入と室内空気の浄化とを行う場合には、ダンパＤ１が外気導入開口部３０を開放する。風力の場合、前記の動力伝達機構は不要である。
【００３２】
フィルタ収納室１１と給気導入室１２とは仕切壁２１によって区切られており、仕切壁２１には前記した開口部２２が形成されている。仕切壁２１には、空気清浄ユニット１０の主要部を構成する前記した防塵フィルタ８（空気清浄フィルタ）が取り付けられている。
【００３３】
本実施例においては、防塵フィルタ８は、矩形で中空の枠体の中にＨＥＰＡ（High  Efficiency  Particulate  Air）フィルタが取り付けられており、ＨＥＰＡフィルタが空気を濾過することで空気中の塵埃や花粉等を捕獲する。この防塵フィルタ８にはＨＥＰＡフィルタが用いられているが、ＵＬＰＡフィルタやその他の高性能フィルタであっても良い。
【００３４】
この防塵フィルタ８は、仕切壁２１の外周にほぼ対応する前記枠体に支持されており、防塵フィルタ８と仕切壁２１との間に防塵フィルタ８を通過した空気が通り抜けるための隙間が設けられている。防塵フィルタ８は、筐体２の下部を閉鎖する底板部２３を取り外すことで着脱可能である。
【００３５】
空気清浄機１の筐体２の底板部２３には、図１及び図２に示すように、空気質検出手段として埃センサＳが設置されている。埃センサＳは、図３に示すように、制御回路２９に接続されており、制御回路２９から給電され動作する。そして埃センサＳは、煙や埃のうち少なくとも一方（以下、煙等という）を検出するととともに、その検出した煙等の検出レベル（煙等の濃度レベル）に応じた検出信号を制御回路２９に出力する。
【００３６】
制御回路２９は、電源部、マイコンおよびインターフェースを備え、部屋の壁等に設置されるリモートコントローラＲｃに接続されている。制御回路２９は、リモートコントローラＲｃの運転モード選択ボタンＢ１，Ｂ２のオンオフ操作と、埃センサＳの検出結果とに基づいて、空気清浄機１の給気モータ１７、換気モータ１８及び分解処理ユニット９への電力供給制御を行う。
【００３７】
尚、給気モータ１７及び給気ファン１９は循環モータ及び循環ファンを兼用しており、同一或いは単一の給気モータ１７及び給気ファン１９により、循環モータ及び循環ファンを構成している。
【００３８】
フィルタ収納室１１は、開口部２２を介して、給気導入室１２に接続されている。給気導入室１２には、ファンケース２０と給気モータ１７とが配置されている。給気モータ１７は、給気導入室１２と排気導入室１４との間の仕切壁１６に取り付けられている。給気モータ１７の回転軸にはシロッコファン型の給気ファン１９（室内循環ファン）が回り止めされて固定されている。給気モータ１７と換気モータ１８とは、制御回路２９によってそれぞれの動作の制御を受ける。尚、上記ファンはシロッコファンとして記載したが、ターボファン等の他のファンであっても良い。
【００３９】
給気導入室１２と給気室１３とは、ファンケース２０によって仕切られている。ファンケース２０は、給気ファン１９の周囲を囲うように、仕切壁１６の上と筐体２の側壁部２Ｒとに亘って設置されている。ファンケース２０の給気ファン１９の側面に向き合う部位には、給気を吸い込むための吸込口２０Ａが形成されている。また、ファンケース２０の給気ファン１９の円筒型の外周面に向き合う部位は、吸い込んだ給気を給気室１３に導くように、開放されている。
【００４０】
給気案内室１２の側壁部２Ｒには、前述の空気清浄ユニット１０の一部を構成する分解処理ユニット９（分解処理手段）が設置されている。分解処理ユニット９は、負イオンと正イオンとを同時に発生させて殺菌（除菌）を行う正負イオン発生型であるが、光触媒型のものであっても良い。
【００４１】
分解処理ユニット９は、正負イオン発生型であり、負イオンと正イオンを生成させるイオン発生部と、イオン発生部に電力を供給する電源部とを備える。制御回路２９によって制御される電源部からイオン発生部に電力を供給することで負イオンと正イオンとを発生させ、この負イオン及び正イオンで空気中に浮遊する細菌や微細蛋白質粒子を分解して無害化し、空気を清浄化するものである。
【００４２】
分解処理ユニット９として、光触媒方式を用いる場合には、主として紫外線領域の光を発射する蛍光ランプからなり、汚染物質を浄化するものを用いることができる。
【００４３】
排気風路５は、底板部２３の排気開口部２５と、給気室１３から区画された排気導入室１４と、給気導入室１２から区画された筒状の排気案内通路１５とで構成されている。排気開口部２５は、排気導入室１４と排気案内通路１５を経由し、筐体２の右側の側壁部２Ｒに形成された図示しない排気開口を介して、排気用ダクトジョイント２７及びダクト２８に接続されている。
【００４４】
排気風路５の排気導入室１４には、排気ファン３３と、排気ファン３３を囲むファンケース３４とが配置されており、換気モータ１８の回転軸にはシロッコファン型の排気ファン３３が回り止めされて固定されている。換気モータ１８は、制御回路２９によってその動作の制御を受ける。ファンケース３４は、排気ファン３３の吸込口から空気を吸い込んで排気案内通路１５に送風するように仕切壁１６に設置され、排気ファン３３の周囲を囲っている。ファンケース３４の排気ファン３３の側面に向き合う部位には給気を吸い込むための吸込口３４Ａが形成されている。また、ファンケース３４の排気ファン３３の円筒型の外周面に向き合う部位は、吸い込んだ給気を排気案内通路１５に導くように、開放されている。
【００４５】
尚、排気案内通路１５内部にはダンパＤ２が設けられており、ダンパＤ２は、図示しないモータ及びカム機構などの動力伝達機構により、排気案内通路１５を開閉する。このダンパＤ２の開閉制御は、前記した制御回路２９からの制御命令により行われ、室内の循環空気の清浄のみを行う場合には、排気風路５をダンパＤ２で閉鎖し、室内空気の排気と室内空気の清浄とを行う場合には、ダンパＤ２を水平にして排気案内通路１５を開く。
【００４６】
本実施例の空気清浄機１では、制御回路２９の制御に基づいて給気モータ１７を回転させると、外気導入開口部３０が開放されている場合、ダクト３２、ダクトジョイント３１、外気導入開口部３０を経由して建物の外側の外気が、フィルタ収納室１１に導入される。このとき、フィルタ収納室１１には循環吸込口７から室内の空気も導入される。フィルタ収納室１１に導入された空気は、防塵フィルタ８によって濾過され、砂塵や塵埃或いは自動車や工場等の煤煙が除去される。防塵フィルタ８で濾過された空気は、ファンケース２０の吸込口２０Ａを介して給気ファン１９内に導入され、給気ファン１９の外周部から給気室１３内に送られる。給気室１３に送られ濾過された空気は、給気室１３の内壁に設置した分解処理ユニット９により、殺菌（除菌）され、給気開口部２６から室内に給気される。
【００４７】
図４は埃センサＳの検出レベルに基づいた運転状態のフローチャートを示している。運転停止状態（この状態をＡとする）又は換気運転状態（この状態をＢとする）のとき（ステップＳ１）、埃センサＳの検出レベルがレベル１以下か否か判断する（ステップＳ２）。埃センサＳの検出レベルがレベル１以下の場合は前記Ａ又は前記Ｂの状態を維持する（ステップＳ３）。埃センサＳの検出レベルがレベル１を超えている場合は、空気清浄手段（空気清浄機１）を風量弱で運転する（ステップＳ４）。
【００４８】
また、埃センサＳの検出レベルがレベル２以下か否か判断する（ステップＳ５）。埃センサＳの検出レベルがレベル２以下の場合はステップＳ２へ戻る。埃センサＳの検出レベルがレベル２を超えている場合は、空気清浄手段（空気清浄機１）を風量中で運転する（ステップＳ６）。
【００４９】
次に、埃センサＳの検出レベルが火災レベル以下か否か判断する（ステップＳ７）。埃センサＳの検出レベルが火災レベル以下の場合はステップＳ５へ戻る。埃センサＳの検出レベルが火災レベルを超えている場合は、火災が発生していると制御回路２９で判断し、火災を報知する。そして制御回路２９が、空気清浄手段（空気清浄機１）の風量を増大させる制御（この制御をＣとする）、換気扇からなる換気手段（空調手段）を作動させる制御（この制御をＤとする）、及び換気手段（空調手段）の風量を増大させる制御（この制御をＥとする）の何れか、又は前記Ｃ〜Ｅのうち複数の制御を組み合わせた制御を行うことによって、煙等の清浄化や屋外への排出を行う（ステップＳ８）。
【００５０】
図５は埃センサＳの検出レベルと火災判断との関係について一例を示したものである。埃センサＳの検出レベルが所定値以下では、通常の汚れレベルと判断し、所定値を超えると、火災レベルと判断する。
【００５１】
なお、本実施例の空気清浄化システムは、火災を報知する機能として、周囲の人に火災発生を知らせる火災警報機能の他、消防署や管理室に火災発生を報知する火災報知機能も備えている。
【００５２】
本実施例によれば、天井Ｔに取り付けられた空気清浄機１に埃センサＳが設けられているので、天井Ｔの方へ上昇した煙等を素早く検知することができ、火災の発生を直ちに報知することができる。
【００５３】
また、火災発生時に、給気モータ１７及び換気モータ１８の回転数を高くして、空調風量及び換気風量を増大させることにより、建物内に充満した煙等を建物外に素早く排出することができ、建物内に居る人の避難路を確保することが可能となる。
【００５４】
さらに、本実施例の空気清浄化システムによれば、換気扇からなる空調機器と空気清浄機とが同一筐体内に組み込まれているので、住宅の床面スペースや住空間を有効に利用することができる。
【００５５】
図６乃至図９は、別の実施例にかかる空気清浄機４０を示す。この空気清浄機４０の筐体４１の内部には、フィルタ収納室４２と、給気導入室４３と、給気案内室４４と、排気導入室４５と、この排気導入室４５に図示しない排気案内通路を介して接続される排気用ダクトジョイント４６（図７及び図８参照）とが設けられている。
【００５６】
図７に示す筐体４１の底板部４７には、室内の空気を筐体４１の内部に吸い込んで循環させるための循環吸込口４８と、室内の空気を筐体４１の内部に吸い込んで建物外部に排出するための排気開口部４９と、筐体４１の内部に吸い込んで濾過した空気を室内に給気するための給気開口部５０とが形成されている。
【００５７】
筐体４１の内部には、給気風路と排気風路とがそれぞれ区画されて形成されている。給気風路は、底板部４７の循環吸込口４８（循環用吸込口）と、フィルタ収納室４２と、防塵フィルタ５１と、仕切壁５２の開口部５３と、給気導入室４３と、給気案内室４４と、底板部４７の給気開口部５０とで構成されている。フィルタ収納室４２と、給気導入室４３と、給気案内室４４と、防塵フィルタ５１とは全て空気が通過できるように常時連通している。
【００５８】
排気風路は、底板部４７の排気開口部４９と、給気案内室４４と区画された排気導入室４５と、給気導入室４３と区画された図示しない筒状の排気案内通路とで構成されている。図８に示すように、排気開口部４９は、排気導入室４５と排気案内通路を経由し、筐体４１の側壁部に形成された図示しない開口部を介して、排気用ダクトジョイント４６に接続されている。また、ダクトジョイント４６には図示しないダクトが接続されており、空気清浄機４０は筐体４１から離れた場所（例えば、建物外部、他の部屋等）から空気を吸い込むことができるようになっている。
【００５９】
給気案内室４４には、ファンケース５４と、給気モータ５５並びに給気ファン５６とが配置されている。給気モータ５５は、給気案内室４４と排気導入室４５との間の仕切壁５７に取り付けられている。給気モータ５５の回転軸にはシロッコファン型の給気ファン５６（給気ファン；室内循環ファン）が回り止めされて固定されている。給気モータ５５は前述したと同様の制御回路２９によってその作動の制御を受ける。
【００６０】
ファンケース５４は、給気ファン５６の周囲を囲うように形成されており、給気ファン５６の側面に向き合う部位には給気を吸い込むための吸込口５４Ａが形成され、ファンケース５４の給気ファン５６の円筒型の外周面に向き合う部位は、吸い込んだ給気を給気開口部５０から吹き出すように、開放されている。
【００６１】
排気風路の排気導入室４５には、排気ファン６１とファンケース５９とが配置されており、換気モータ６０の回転軸にはシロッコファン型の排気ファン６１が回り止めされて固定されている。換気モータ６０は前述の制御回路２９によって制御される。ファンケース５９は、排気ファン６１の吸込口から空気を吸い込んで排気案内通路を経由してダクトジョイント４６に送風するように底板部４７に設置され、排気ファン６１の周囲を囲っている。ファンケース５９の下端部は底板部４７に固定されている。底板部４７の排気開口部４９は、排気ファン６１の側面に向き合う。
【００６２】
防塵フィルタ５１は図１の防塵フィルタ８と同様にＨＥＰＡフィルタからなる。この防塵フィルタ５１は、筐体４１の断面形状にほぼ対応する枠体に支持されており、防塵フィルタ５１と仕切壁５２との間に防塵フィルタ５１を通過した空気が通り抜けるための隙間が設けられている。防塵フィルタ５１は循環吸込口４８（循環用吸込口）から引き出して取り外すことができる。この着脱機構は圧入機構でも、掛止爪と掛止穴の機構でも良く、またネジ機構でも良い。
【００６３】
防塵フィルタ５１のフィルタ収納室４２側の面には、図示しないが前記したと同様な埃センサが設置されている。埃センサは、前述の制御回路２９から給電され、検出信号を制御回路２９に送信するように制御回路２９に接続されている。制御回路２９の構成、埃センサの検出信号に応じた給気ファン５６及び排気ファン６１の動作制御は、図１乃至図４のものと同様であるのでその説明を用いて、この例の説明を省略する。
【００６４】
図１０、図１１は換気機能付き空気清浄機の他の実施例を示す。この空気清浄機７０は、部屋の天井Ｔに設置されており、空気清浄機７０では、筐体７１の中間部にある仕切壁７２の下に循環空気導入室７３が形成され、仕切壁７２の上に排気通路７４が形成されている。
【００６５】
筐体７１の底板部８０には、循環空気導入室７３に開放する循環空気吸込口７５が形成され、吸込口７５に防塵フィルタ７６が設置されている。防塵フィルタ７６は、前記した防塵フィルタ８，５１に比較して小型であるが、矩形の枠体にＨＥＰＡフィルタが設置されていることは前述のものと同様であるので、それらの説明を省略する。
【００６６】
仕切壁７２にはモータ７７が設置されており、このモータ７７の回転軸の上下に給気ファンとして機能する循環ファン７８と、排気ファン７９とがそれぞれ固定されている。仕切壁７２の下面には埃センサＳが取り付けられている。モータ７７は制御回路２９の命令に基づいて回転し、埃センサＳは、制御回路２９に煙等検出の信号を送信してモータ７７の回転数を増大させる。
【００６７】
底板部８０には、図１１に示すように、循環ファン７８の空気を再び室内に戻す給気開口部たる吹出口８１Ａと、室内の汚れた空気を排出するための排気開口部たる排気用吸込口８２Ｃとが形成されている。室内の汚れた空気は、排気ファン７９により、排気用吸込口８２Ｃから筐体７１内部に導入され、ファンケース８３′の吸込口８３Ａ′を通って、排気開口８４′を経由し、排気用ダクトジョイント８５′とダクト８６′を経由して建物外部に排気される。
【００６８】
図１２は部屋Ｒ１の壁部Ｗ１に空気清浄機１，４０，７０を設置した場合を示すものであり、図１３は部屋Ｒ１の壁部Ｗ１に空気清浄機１，４０，７０を埋め込んで設置した例を示す。壁部Ｗ１に空気清浄機１，４０，７０を埋め込んで設置した場合には、壁部Ｗ１内部にダクトの配管を行う。
【００６９】
図１４は、設置した部屋の空気を循環して清浄化する空気清浄機８０を示したものであり、この空気清浄機８０は、筐体８１の内部に防塵フィルタ８２と、シロッコファンからなる循環ファン８３と、ファンモータ８４と、ファンケース８３Ａとを備える。空気清浄機８０は、ファンモータ８４を回転させることによって、筐体８１の底板部に形成された循環用吸込口８５から室内空気を吸い込み、防塵フィルタ８２で濾過した後、再び吹出口８６から室内に清浄化した空気を送風する。
【００７０】
防塵フィルタ８２の設置空間と循環ファン８３の設置空間とは、仕切壁８２Ａで仕切られており、仕切壁８２Ａに開口部８２Ｂが形成されている。また、ファンモータ８４を固定する仕切壁８７にはファンケース８３Ａが取り付けられている。ファンケース８３Ａには、循環ファン８３の回転中心部に空気を導入するための吸込口８３Ｂが形成されている。ファンケース８３Ａの吸込口８３Ｂと反対側に位置する端部は開放されており、これにより循環ファン８３の放出する空気が吹出口８６から送り出される。
【００７１】
ファンモータ８４を固定する仕切壁８７の下部には制御回路２９が設置されており、この制御回路２９には、商用電源とファンモータ８４の他に埃センサＳが接続されている。埃センサＳは防塵フィルタ８２に取り付けられている。
【００７２】
また、吹出口８６の内壁面には浮遊細菌や有害物質を正イオンと負イオンで分解処理する分解処理ユニット８６Ａが設置されている。分解処理ユニット８６Ａは、制御回路２９の制御命令により、商用電源の電力供給を受けて高電圧を発生し、空気中の水分を分解して水素イオンと酸素イオンを発生させ、浮遊細菌や有害物質を分解する。ファンモータ８４は制御回路２９の命令に基づいて回転し、埃センサＳが煙等を検出すると、制御回路２９はこれら埃センサＳからの検出信号レベルに応じてファンモータ８４の回転数を増大させる。
【００７３】
図１５は、図１４の空気清浄機８０の変形例を示す。この空気清浄機８０−２は、建物の外部の空気を吸い込むため、若しくは、他の部屋又は広い面積を有する同じ部屋（例えば、リビング、ダイニングルームや廊下等）の他の部位の空気を清浄化するために、循環用吸込口８５の開口された空間の側壁部８１Ｌに、外気導入開口部８８が形成されている。この外気導入開口部８８の外側には筒状のダクトジョイント８８Ｄが取り付けられ、ダクトジョイント８８Ｄにダクト８９の一端部が取り付けられている。
【００７４】
ダクト８９の他端部は、建物の外部の空気を吸い込む外気吸込口（図示省略）、若しくは、他の部屋又は広い面積を有する同じ部屋（例えば、リビング、ダイニングルームや廊下等）の他の部位（例えば、天井や壁）の吸込用開口部に接続されている。その他の構成は、図１４の空気清浄機８０の構成及び動作と同様であるので、その説明を援用する。
【００７５】
図１６は、図１５の空気清浄機８０−２を更に変形した例を示す。この空気清浄機８０−３は、図１５の空気清浄機８０−２の底板部に、循環用吸込口８５が開口されておらず、防塵フィルタ８２の設置された空間の側壁部８１Ｌに、外気導入開口部８８が形成されている。
【００７６】
この外気導入開口部８８の外側には筒状のダクトジョイント８８Ｄが取り付けられ、ダクトジョイント８８Ｄにダクト８９の一端部が取り付けられている。ダクト８９の他端部は、建物の外部の空気を吸い込む外気吸込口（図示省略）、若しくは、他の部屋又は広い面積を有する同じ部屋（例えば、リビングダイニングルームや廊下等）の他の部位（例えば、天井や壁）に設けられた吸込用グリルＧ１に接続されている。その他の構成は、図１５と同様であるので、その説明を援用する。
【００７７】
図１７は、設置室内の空気を清浄化する空気清浄機８０−４を示す。この空気清浄機８０−４は、設置室内の空気を吸い込んで同じ室内の離れた他の場所に清浄な空気を送り出すように、図１４に示す空気清浄機８０を変形させたものである。
【００７８】
この空気清浄機８０−４は、室内の空気を吸い込むための循環用吸込口８５を備えているが、循環ファン８３の放出する空気を吹き出すための吹出口８６が形成されておらず、この吹出口８６に代えて、空気清浄機８０−４の循環ファン８３の下流側空間の側壁部８１Ｒに吹出口用開口部９０が形成されている。
【００７９】
この吹出口用開口部９０の外側には筒状のダクトジョイント９１が取り付けられ、ダクトジョイント９１にダクト９２の一端部が取り付けられている。ダクト９２の他端部は、他の部屋又は広い面積を有する同じ部屋（例えば、リビング、ダイニングルームや廊下等）の他の部位（例えば、天井や壁）の吹出口用グリルＧ２に接続されている。その他の構成は、図１４と同様であるので、その説明を援用する。
【００８０】
図１８は、図１６、図１７の空気清浄機の機能を併用させた例を示し、この空気清浄機８０−５の筐体８１の底板部には循環用吸込口８５や吹出口８６が形成されておらず、防塵フィルタ８２が設置された空間の側壁部８１Ｌに外気導入開口部８８が形成されている。
【００８１】
この外気導入開口部８８の外側には筒状のダクトジョイント８８Ｄが取り付けられ、ダクトジョイント８８Ｄにダクト８９の一端部が取り付けられている。ダクト８９の他端部は、建物の外部の空気を吸い込む外気吸込口（図示省略）、若しくは、他の部屋又は広い面積を有する同じ部屋（例えば、リビング、ダイニングルームや廊下等）の他の部位（例えば、天井や壁）に設けられた吸込用グリルＧ１に接続されている。
【００８２】
また、空気清浄機８０−５の循環ファン８３の下流側空間の側壁部８１Ｒに吹出口用開口部９０が形成されている。
【００８３】
この吹出口用開口部９０の外側には筒状のダクトジョイント９１が取り付けられ、ダクトジョイント９１にダクト９２の一端部が取り付けられている。ダクト９２の他端部は、他の部屋又は広い面積を有する同じ部屋（例えば、リビング、ダイニングルームや廊下等）の他の部位（例えば、天井や壁）の吹出口用グリルＧ２に接続されている。その他の構成は、図１４と同様であるので、その説明を援用する。尚、空気清浄機８０−５の筐体８１の底板部には循環用吸込口８５や吹出口８６が形成されていてもよい。
【００８４】
この実施例の空気清浄機８０−５によれば、同一室内のある場所から空気を吸い込んで同一室内の他の場所に清浄化した空気を送り出すことができ、例えば、リビングルーム等の窓際の領域から空気を吸い込んで、居住者が通常いる場所（例えばソファーやテーブル等のある場所）或いは、空気の滞留しそうな部屋の隅角などに清浄化した空気を送り込むことも可能であり、広範囲にわたる空気の清浄化を行うことができる。このダクト８９、９２は、同一室内に限らず、別々の部屋であっても良く、ある部屋から吸い込んだ空気、或いは、建物外部から吸い込んだ空気を清浄化した後に、中間ダクトファンなどを用いて一つの部屋だけでなく複数の部屋に清浄化した空気を送り出すことも可能である。この清浄化する前の空気を吸い込むためのダクト自身も一つであるとは限らず、複数であっても良い。このようにすると、複数の部屋の空気或いは建物外部の空気を吸い込んで濾過し、更に、微生物や有害物質を分解処理して清浄化した後に、複数の部屋或いは広い部屋の隅々にきれいな空気を送り出すことができ、住環境の清浄化が促進されることとなる。
【００８５】
尚、図１６乃至図１８においては、埃センサＳは防塵フィルタ８２に取り付けられている。
【００８６】
図１９（ａ）乃至図１９（ｃ）には、部屋Ｒ２の空気清浄機１に中間ダクトファン１１０或いは浴室換気装置１２０を接続した例を示す。この例では、空気清浄機１が作動するようにスイッチがオンされたとき、或いは、空気清浄機１に内蔵するセンサによって煙等が検出された時に、中間ダクトファン１１０或いは浴室換気装置１２０を駆動して室内空気を排出する換気を行う。
【００８７】
中間ダクトファン１１０の動作において、部屋Ｒ２ではダクト１１４から室内空気が吸い込まれ、排気用ダクト１１２を通して屋外へ排出される。尚、室内空気吸込ダクトが設けられていない室内においては、ドアのアンダーカット部Ｕｃを通してダクト１１３，１１４，１１５に集められた室内空気は室内又は屋外へ排出される。尚、浴室換気装置１２０は衣類乾燥機能や暖房機能を有する浴室乾燥機等の浴室空調装置であっても良い。
【００８８】
図２０は、部屋Ｒ２の空気清浄機１に給排気ユニット１１６である熱交換型換気装置を接続した例を示す。図２０の熱交換型換気装置１１６は、２４時間換気機能を備えており、全熱交換器等の熱交換器が配置され、外気導入ダクト１１７と外気導入ファン（図示せず）によって、外気を取り入れて、室内に給気ダクト１１８を介して供給する。
【００８９】
また、室内の空気は、各部屋のドアと床面の間のアンダーカット部を通して吸引され、廊下等の所定の位置に設置された熱交換型換気装置の本体下面に設けられた室内空気吸い込み口（図示せず）から図示しない排気ファンにより吸い込まれる。熱交換型換気装置に吸い込まれた室内空気は、図示しない外気導入ファンにより熱交換型換気装置に導入される室外の外気と潜熱及び顕熱を熱交換して、屋外へ排出されるようになっている。
【００９０】
尚、熱交換型換気装置の熱交換器は、潜熱及び顕熱を熱交換するものでなく、顕熱交換機としても良い。
【００９１】
空気清浄機１の本体或いは部屋に設けた埃センサＳによって煙等が検出された時に、空気清浄機１を作動して室内空気を浄化すると共に、熱交換型換気装置１１６が駆動して室内の煙等を排出すると共に室内に外気を供給する換気を行う。熱交換型換気装置１１６は空気清浄機１と連動して作動してよく、熱交換型換気装置１１６のみで作動してもよい。
【００９２】
熱交換型換気装置１１６に換えて、給気ユニットとして、外気を室内に給気する構成のみとしてもよい。この場合に図１９（ａ）に記載の中間ダクトファン１１０と連動して、埃センサＳの検出結果に応じて、空気清浄機１を作動させながら、給気ユニットで外気を室内へ給気し、中間ダクトファン１１０で室内空気を排出するようにしてもよい。
【図面の簡単な説明】
【００９３】
【図１】本発明の実施例にかかる空気清浄機の構成を示す断面図である。
【図２】図１の空気清浄機の天井の下側から見た底面図である。
【図３】図１の空気清浄機の制御回路の接続状態を示すブロック図である。
【図４】埃センサからの検出結果に基づいて、制御回路が給気モータ及び換気モータを制御する際のフローチャートである。
【図５】埃センサの出力レベルの一例を示す図である。
【図６】図７に示す他の換気機能付き空気清浄機のＡ−Ａ線断面図である。
【図７】他の換気機能付き空気清浄機の平面図である。
【図８】図７に示す他の換気機能付き空気清浄機のＣ−Ｃ線断面図である。
【図９】図７に示す換気機能付き空気清浄機の側面図である。
【図１０】換気機能付き空気清浄機のさらに他の実施例を示す断面図である。
【図１１】図１０に示した空気清浄機の底面図である。
【図１２】部屋の壁部に空気清浄機を設置した場合を示す説明図である。
【図１３】部屋の壁部に空気清浄機を埋め込み設置した場合を示す説明図である。
【図１４】設置した部屋の空気を循環して清浄化する空気清浄機の断面図である。
【図１５】図１４の空気清浄機の変形例を示す断面図である。
【図１６】図１５の空気清浄機を更に変形した例を示す断面図である。
【図１７】設置室内の空気を清浄化する空気清浄機を示す断面図である。
【図１８】図１６及び図１７の空気清浄機の機能を併用させた例を示す断面図である。
【図１９】（ａ）は部屋の空気清浄機に中間ダクトファン或いは浴室換気扇を接続した例を示す平面図、（ｂ）は家屋の部屋を仕切るドアのアンダーカットから空気を吸引する構成を示す断面図、（ｃ）は（ａ）の空気清浄機の制御回路のブロック図である。
【図２０】部屋の空気清浄機に給気ユニットである換気装置或いは浴室換気扇を接続した例を示す平面図である。
【符号の説明】
【００９４】
１，４０，７０，８０，８０−２〜５  空気清浄機
２，４１，７１，８１  筐体
６  排気ファン機構（空調機器、換気扇）
２９  制御回路（制御部）
Ｓ  埃センサ
【図１】
2006084148.tif 000003
【図２】
2006084148.tif 000004
【図３】
2006084148.tif 000005
【図４】
2006084148.tif 000006
【図５】
2006084148.tif 000007
【図６】
2006084148.tif 000008
【図７】
2006084148.tif 000009
【図８】
2006084148.tif 000010
【図９】
2006084148.tif 000011
【図１０】
2006084148.tif 000012
【図１１】
2006084148.tif 000013
【図１２】
2006084148.tif 000014
【図１３】
2006084148.tif 000015
【図１４】
2006084148.tif 000016
【図１５】
2006084148.tif 000017
【図１６】
2006084148.tif 000018
【図１７】
2006084148.tif 000019
【図１８】
2006084148.tif 000020
【図１９】
2006084148.tif 000021
【図２０】
2006084148.tif 000022